(57)【要約】【課題】被クリーニング面が湾曲していたとしても十分綺麗にクリーニングし得るクリーナを提供する。【解決手段】開口部が形成されたケース本体と、ケース本体内に回転可能に収容されたスプール４と、ケース本体に取り付けられると共にケース本体の外側に向けて支持部７２が開口部から突出可能な支持体７と、支持部７２およびスプール４の間に掛け渡されたクリーニング帯３とを備え、支持部７２は、クリーニング帯３の幅方向に沿って配列されてクリーニング帯３を先端面７３で支持する複数の帯状体７２ａを備えて構成され、各帯状体７２ａは、外側からの押圧に応じて先端面７３が個別的に後退可能に構成されている。【選択図】図１４
2008067951.tif 000002
【特許請求の範囲】
【請求項１】
開口部が形成されたケース本体と、前記ケース本体内に回転可能に収容された回転軸と、前記ケース本体に取り付けられると共に前記ケース本体の外側に向けて先端部が前記開口部から突出可能な支持体と、当該支持体の前記先端部および前記回転軸の間に掛け渡された帯状のクリーニング部材とを備え、
前記支持体の前記先端部は、前記クリーニング部材の幅方向に沿って配列されて当該クリーニング部材を先端面で支持する複数の支持部材を備えて構成され、
前記各支持部材は、前記外側からの押圧に応じて前記先端面が個別的に後退可能に構成されているクリーナ。
【請求項２】
前記支持体の前記先端部は、板状体の一端部側を分割すると共に湾曲させて前記先端面としての湾曲面が形成された複数の帯状体を備えて構成され、前記各支持部材は、前記帯状体で構成されている請求項１記載のクリーナ。
【請求項３】
前記支持体の前記先端部は、前記クリーニング部材の幅方向に沿って配設された軸が中心部に挿通されると共に当該軸と内面との間に弾性部材が配設された前記支持部材としての環状体を複数備えて構成されている請求項１記載のクリーナ。
【請求項４】
前記開口部から突出する前記支持体における前記先端部の突出量を変更可能に当該支持体をスライドさせるスライド部を備えている請求項１から３のいずれかに記載のクリーナ。
【発明の詳細な説明】
【技術分野】
【０００１】
本発明は、表示装置の表示面をクリーニングするためのクリーナに関するものである。
【背景技術】
【０００２】
この種のクリーナとして、実開平３−１１９３６５号公報に開示された表示画面用清掃具（以下、単に「清掃具」ともいう）が知られている。この清掃具は、ホルダと、ホルダに形成された開口部から一部を突出させた状態で収容された払拭部材と、払拭部材の突出部分を被着するキャップとを備えて構成されている。この場合、払拭部材は、スポンジやゴム等からなる弾性中心部材の回りにスポンジからなる弾性外皮部材を被設した芯材と、布帛等で形成されて芯材の周囲に巻着された払拭シートとを備えて構成されている。この清掃具を用いてディスプレー装置やテレビ等の表示画面を清掃する際には、ホルダを握持して、開口部から突出している払拭部材を表示画面に押し付けて移動させる。この場合、払拭部材が適度な弾性を有しているため、表示画面の表面が曲面で構成されていたとしても、払拭部材がその曲面に沿った形状に弾性変形して、画面上に付着している汚れや埃を払拭シートで拭き取ることが可能となっている。
【特許文献１】実開平３−１１９３６５号公報（第５−６頁、第１図）
【発明の開示】
【発明が解決しようとする課題】
【０００３】
ところが、上記の清掃具には、以下の問題点がある。すなわち、この清掃具では、スポンジやゴム等からなる単一の芯材の周囲に払拭シートを巻着して構成した払拭部材が用いられている。しかしながら、芯材自体が弾性変形したとしても、その変形量は、最大でも芯材を構成するスポンジの厚み分に限定される。このため、曲率半径の小さい（湾曲の程度が大きい）曲面で表面が構成されている表示画面に払拭部材を押し付けたときには、芯材が曲面に沿って変形し切れずに、払拭部材と表示画面との間に隙間が生じて拭き残しが発生することがある。したがって、この清掃具には、曲率半径の小さい曲面で表面が構成されている表示画面の汚れや埃を十分に綺麗に拭き取ることができないおそれがある。
【０００４】
本発明は、かかる問題点に鑑みてなされたものであり、被クリーニング面が湾曲していたとしても十分綺麗にクリーニングし得るクリーナを提供することを主目的とする。
【課題を解決するための手段】
【０００５】
上記目的を達成すべく本発明に係るクリーナは、開口部が形成されたケース本体と、前記ケース本体内に回転可能に収容された回転軸と、前記ケース本体に取り付けられると共に前記ケース本体の外側に向けて先端部が前記開口部から突出可能な支持体と、当該支持体の前記先端部および前記回転軸の間に掛け渡された帯状のクリーニング部材とを備え、前記支持体の前記先端部は、前記クリーニング部材の幅方向に沿って配列されて当該クリーニング部材を先端面で支持する複数の支持部材を備えて構成され、前記各支持部材は、前記外側からの押圧に応じて前記先端面が個別的に後退可能に構成されている。
【０００６】
この場合、板状体の一端部側を分割すると共に湾曲させて前記先端面としての湾曲面が形成された複数の帯状体を備えて前記支持体の前記先端部を構成し、前記各支持部材を前記帯状体で構成することができる。
【０００７】
また、前記クリーニング部材の幅方向に沿って配設された軸が中心部に挿通されると共に当該軸と内面との間に弾性部材が配設された前記支持部材としての環状体を複数備えて前記支持体の前記先端部を構成することができる。
【０００８】
また、前記開口部から突出する前記支持体における前記先端部の突出量を変更可能に当該支持体をスライドさせるスライド部を備えた構成を採用することができる。
【発明の効果】
【０００９】
本発明に係るクリーナによれば、クリーニング部材の幅方向に沿って配列されてクリーニング部材を先端面で支持する複数の支持部材を備えて支持体の先端部を構成し、外側からの押圧に応じて先端面が個別的に後退可能に各支持部材を構成したことにより、クリーニング対象の被クリーニング面が湾曲していて、かつその曲率半径が小さい場合であっても、外側からの押圧に応じて各支持部材が互いに異なる変形量で弾性変形して支持部材の先端面が後退するため、各支持部材の先端部を覆っているクリーニング部材の各部位を被クリーニング面に確実に密着させることができる。したがって、例えば、単一の芯材の周囲に払拭シートを巻着して構成した払拭部材でクリーニングを行う従来の清掃具とは異なり、拭き残しを発生させることなく被クリーニング面を十分綺麗にクリーニングすることができる。
【００１０】
また、本発明に係るクリーナによれば、板状体の一端部側を分割すると共に湾曲させて先端面としての湾曲面が形成された複数の帯状体を備えて支持体の先端部を構成し、その帯状体で各支持部材を構成したことにより、先端部を簡易に構成することができる。したがって、先端部の構成が簡易な分、クリーナの製造コストを十分に低く抑えることができると共に、先端部の構成が簡易な分、先端部の故障の発生を十分に低く抑えることができる。
【００１１】
また、本発明に係るクリーナによれば、クリーニング部材の幅方向に沿って配設された軸が中心部に挿通されると共に軸と内面との間に弾性部材が配設された支持部材としての環状体を複数備えて支持体の先端部を構成したことにより、弾性部材の形状や材質を変更することで、外側からの押圧力に対する環状体の外周面（先端面）の移動のし易さ、つまり使用時における先端部の軟らかさが異なる各種クリーナを容易に製造することができる。
【００１２】
また、本発明に係るクリーナによれば、開口部から突出する支持体における先端部の突出量を変更可能に支持体をスライドさせるスライド部を備えたことにより、例えば、クリーニング対象の被クリーニング面とその被クリーニング面の縁部との間に段差が存在しているとしても、その段差の高さに応じて先端部の突出量を容易に変更することができるため、被クリーニング面の隅々まで確実にクリーニングを行うことができる。
【発明を実施するための最良の形態】
【００１３】
以下、本発明に係るクリーナの最良の形態について、添付図面を参照して説明する。
【００１４】
最初に、クリーナ１の構成について、図面を参照して説明する。
【００１５】
図１に示すクリーナ１は、本発明に係るクリーナの一例であって、同図および図２に示すように、ケース本体２、クリーニング帯３、スプール４、回転機構５、ラチェット６（図８参照）、支持体７、スライド機構８（図１１参照）、クッション部９およびテンション板１０を備えて構成されている。ケース本体２は、図３に示すように、互いに嵌合可能な下ケース１１および上ケース１２を備えて構成され、両ケース１１，１２の嵌合状態において先端部に開口部２ａが形成されると共に、両ケース１１，１２の嵌合状態においてクリーニング帯３、スプール４および支持体７等を収容する収容部２ｂを形成する。
【００１６】
下ケース１１は、図４に示すように、湾曲形成された底板２１と、底板２１における三方の縁部に立設された側板２２〜２４とを備えて全体として浅皿状に形成されている。また、底板２１には、側板２２に対して平行（ほぼ平行）となるようにして壁部２５が立設されると共に、側板２３に対して平行（ほぼ平行）となるようにして壁部２６が立設されている。この場合、側板２２および壁部２５には、回転機構５を回転可能に保持するための半円状の切り欠き２２ａおよび切り欠き２５ａがそれぞれ形成されている。また、壁部２５および壁部２６には、スプール４を回転可能に保持するための切り欠き２５ｂおよび切り欠き２６ａがそれぞれ形成されている。さらに、側板２３には、スライド機構８を回転可能に保持するための半円状の切り欠き２３ａが形成されている。また、側板２２，２３には、支持体７をスライド可能に取り付けるためのリブ２７，２８がそれぞれ形成されている。
【００１７】
上ケース１２は、図５に示すように、湾曲形成された天板３１と、天板３１における三方の縁部に立設された側板３２〜３４とを備えて、下ケース１１とほぼ同様の浅皿状に形成されている。また、天板３１には、側板３２に対して平行（ほぼ平行）となるようにして壁部３５が立設されると共に、側板３３に対して平行（ほぼ平行）となるようにして壁部３６が立設されている。この場合、側板３２および壁部３５には、回転機構５を回転可能に保持するための半円状の切り欠き３２ａおよび切り欠き３５ａがそれぞれ形成されている。また、壁部３５および壁部３６には、スプール４を回転可能に保持するための切り欠き３５ｂおよび切り欠き３６ａがそれぞれ形成されている。さらに、側板３３には、スライド機構８を回転可能に保持するための半円状の切り欠き３３ａが形成されている。また、天板３１には、テンション板１０を固定するための突起部３７，３７，３７が形成されている。
【００１８】
クリーニング帯３は、本発明におけるクリーニング部材に相当し、図６に示すように、例えば帯状の織布によってループ状に構成されている。また、クリーニング帯３は、スプール４および支持体７に掛け渡された状態でケース本体２内に配設される。なお、クリーニング帯３の材料としては、織布に限定されず、不織布や紙等の汚れや埃の拭き取りに適した各種の材料を用いることができる。また、ゴムシートや樹脂シート等の表面に織布、不織布および紙などを貼付したシート体でクリーニング帯３を構成することもできる。
【００１９】
スプール４は、本発明における回転軸に相当し、図７に示すように、円柱状の本体部４１と、本体部４１の中心に配設された中心軸４２と、中心軸４２の一端部に取り付けられた被駆動ギヤ４３と、図８に示すように、中心軸４２の他端部に取り付けられたラチェットギヤ４４とを備えて構成されている。この場合、本体部４１には、クリーニング帯３の滑りを防止すると共に本体部４１におけるひけ等の発生を防止するための凹凸加工（肉盗み）が施されている。また、スプール４は、下ケース１１における壁部２５の切り欠き２５ｂおよび上ケース１２における壁部３５の切り欠き３５ｂによって中心軸４２の一端部側（被駆動ギヤ４３側）が支持されると共に、下ケース１１における壁部２６の切り欠き２６ａおよび上ケース１２における壁部３６の切り欠き３６ａによって中心軸４２の他端部側（ラチェットギヤ４４側）が支持されることにより、図１４に示すように、ケース本体２の収容部２ｂに回転可能に収容されている。
【００２０】
回転機構５は、図９に示すように、円板状に形成されたダイヤル５１、ダイヤル５１の中心に配設された中心軸５２、および中心軸５２に取り付けられた駆動ギア５３で構成される本体部５ａと、本体部５ａを回転不可状態にロックするブレーキ５ｂ（図１４参照）とを備えて構成されている。この場合、本体部５ａは、下ケース１１における側板２２の切り欠き２２ａおよび上ケース１２における側板３２の切り欠き３２ａによって中心軸５２のダイヤル５１側が支持されると共に、下ケース１１における壁部２５の切り欠き２５ａおよび上ケース１２における壁部３５の切り欠き３５ａによって中心軸５２の駆動ギア５３側が支持されることにより、ケース本体２に回転可能に配設されている。また、本体部５ａは、図９に示すように、ケース本体２に配設された状態においてスプール４の被駆動ギヤ４３に駆動ギア５３が噛合して、ダイヤル５１が回転させられたときに駆動ギア５３を介してスプール４を回転させる。また、ブレーキ５ｂは、図１に示すように、下ケース１１の側板２２および上ケース１２の側板３２と、ダイヤル５１との間に配設される。
【００２１】
ラチェット６は、図８に示すように、棒状の本体部６１と、本体部６１の一端部から延出するようにして配設されて、スプール４のラチェットギヤ４４に噛合する爪部６２ａが先端部に形成された腕部６２とを備えて構成されている。このラチェット６は、下ケース１１の側板２３と壁部２６との間の隙間に配設されて、スプール４の一方の向きへの回転を許容すると共に他方の向きへの回転を規制する。
【００２２】
支持体７は、図１０に示すように、スライド板７１と、本発明における支持体の先端部に相当する支持部７２とを備えて構成されている。スライド板７１は、平面視が略矩形の板状に構成されて、一方の側部（同図における右側の側部）には、ラック７１ａが形成されている。また、スライド板７１の両側部には、支持部７２を着脱可能に取り付けるためのリブ７１ｂが形成されている。支持部７２は、板状体の一端部側を切り込みによって複数（この例では１０個）の帯状体７２ａ（本発明における支持部材）に分割した全体として櫛形の形状に構成されている。この場合、各帯状体７２ａの先端部（上記した一端部）は、Ｊ字状に湾曲させられており、掛け渡されたクリーニング帯３を湾曲させられた先端面（湾曲面）７３で支持する。また、各帯状体７２ａは、使用時における外側からの押圧に応じて弾性変形することにより、先端面７３が開口部２ａ側に向けて個別的に移動（後退）させられる。
【００２３】
また、支持部７２の基端部にはスライド板７１のリブ７１ｂに嵌め込み可能な支柱７２ｂが形成されており、この支柱７２ｂをリブ７１ｂに嵌め込んで支持部７２を本体部７１に固定した状態において、掛け渡されたクリーニング帯３の幅方向に沿って帯状体７２ａが配列される。この支持体７は、図２に示すように、スライド板７１の両側部が下ケース１１のリブ２７，２８の間に嵌め込まれることにより、ケース本体２（下ケース１１）にスライド可能に配設される。また、支持体７は、例えば、使用時においてスライド機構８の操作によってスライドさせられることで、ケース本体２の外側に向けて支持部７２の先端部を構成する帯状体７２ａが開口部２ａから突出させられる。
【００２４】
スライド機構８は、支持体７のラック７１ａと共に本発明におけるスライド部を構成して、図１１に示すように、つまみ８１と、つまみ８１の中心部に取り付けられた中心軸８２と、中心軸８２に取り付けられたピニオン８３とを備えている。また、スライド機構８は、下ケース１１における側板２３の切り欠き２３ａおよび上ケース１２における側板３３の切り欠き３３ａによって中心軸８２が支持されることにより、ケース本体２に回転可能に配設される。このスライド機構８は、図１４，１５に示すように、ケース本体２に配設された状態において支持体７におけるスライド板７１のラック７１ａにピニオン８３が噛合して、つまみ８１が回転させられたときにラック７１ａを介して支持体７をスライドさせる。この場合、ピニオン８３におけるつまみ８１側の面には、ラチェットギヤ（図示せず）が配設されており、下ケース１１における側板２３の内側に配設されたラチェット（図示せず）の爪部がこのラチェットギヤに噛合することにより、ピニオン８３の回転、つまり支持体７の移動が適度な力で規制される。
【００２５】
クッション部９は、ゴムや軟質の樹脂等の弾力性を有する材料で形成されて、図１に示すようにケース本体２の開口部２ａ側に取り付けられる。また、図１２に示すように、クッション部９には、支持体７における支持部７２の帯状体７２ａ、および支持体７に掛け渡されたクリーニング帯３を挿通可能な開口部９ａが形成されている。
【００２６】
テンション板１０は、金属や樹脂等の弾力性を有する材料により、図１３に示すように、基端部１０ａおよび先端部１０ｂを折り曲げた板状に形成されている。また、テンション板１０の基端部１０ａには、固定用の孔１０ｃが形成されている。また、テンション板１０は、基端部１０ａに形成された孔１０ｃに上ケース１２の突起部３７を挿通させてかしめることにより、図２に示すように、上ケース１２の天板３１に固定されている。この場合、テンション板１０は、スプール４と支持体７との間に掛け渡されたクリーニング帯３にテンションを加えることにより、クリーニング帯３の弛みの発生を防止する。
【００２７】
次に、クリーナ１の組立方法について図面を参照して説明する。
【００２８】
まず、下ケース１１にクリーニング帯３を載置すると共に、ラチェット６を側板２３と壁部２６との間の隙間にセット（配設）する。次いで、図２に示すように、クリーニング帯３の内側（ループの内側）に支持体７を位置させた状態で、支持体７におけるスライド板７１の両側部を下ケース１１のリブ２７，２８の間に嵌め込むことにより、支持体７を下ケース１１にセットする。次いで、スプール４をクリーニング帯３の内側に位置させた状態で、スプール４における中心軸４２の両端部を下ケース１１における壁部２５の切り欠き２５ｂおよび壁部２６の切り欠き２６ａにそれぞれ嵌め込むことにより、スプール４を下ケース１１にセットする。これにより、クリーニング帯３がスプール４および支持体７の間に掛け渡される。
【００２９】
続いて、図９に示すように、回転機構５における本体部５ａの駆動ギア５３とスプール４の被駆動ギヤ４３とを噛合させつつ、本体部５ａの中心軸５２を下ケース１１における壁部２５の切り欠き２５ａおよび下ケース１１における壁部２５の切り欠き２５ａに嵌め込むことにより、本体部５ａを下ケース１１にセットする。次いで、回転機構５のブレーキ５ｂを下ケース１１の側板２２と、本体部５ａのダイヤル５１との間に配設する。
【００３０】
続いて、図１４に示すように、スライド機構８のピニオン８３と支持体７におけるスライド板７１のラック７１ａとを噛合させつつ、スライド機構８の中心軸８２を下ケース１１における側板２３の切り欠き２３ａに嵌め込むことにより、スライド機構８を下ケース１１にセットする。次いで、テンション板１０が予め固定された上ケース１２における側板３２〜３４の端面と、下ケース１１における側板２２〜２４の端面とを突合させるようにして、上ケース１２を下ケース１１に嵌め合わせる。続いて、図１，２に示すように、両ケース１１，１２を嵌め合わせたケース本体２における開口部２ａ側の先端部にクッション部９を嵌め合わせる。この場合、図２に示すように、上ケース１２に固定されているテンション板１０の先端部１０ｂによってクリーニング帯３が押圧されるため、支持体７がどのような位置に位置していたとしても、クリーニング帯３の弛みの発生が確実に防止される。以上によりクリーナ１の組立てが完了する。
【００３１】
次に、クリーナ１を用いて、例えばディスプレイ５００（図１７参照）の表面をクリーニングする方法の一例について、図面を参照して説明する。
【００３２】
まず、支持体７における支持部７２のクッション部９（ケース本体２）からの突出量を、ディスプレイ５００の縁部の段差（図１７参照）に合わせて調整する。具体的には、スライド機構８のつまみ８１を例えば図１４に示す矢印Ａの向きに回転させる。この際に、つまみ８１の回転に伴ってピニオン８３が回転し、これに伴ってピニオン８３に噛合しているラック７１ａを介してスライド板７１が同図に示す矢印Ｂの向きにスライドさせられる。これにより、図１５，１６に示すように、支持部７２がクッション部９（ケース本体２の開口部２ａ）から前方（図１６における左方向）に突出させられる。この場合、スライド板７１のスライドによって支持部７２の先端部とスプール４の本体部４１との距離が長くなったとしても、図１６に示すように、上ケース１２に固定されているテンション板１０の先端部１０ｂ側が上ケース１２の天板３１側に向けて弾性変形することにより、クリーニング帯３のテンションが適度なテンションに調整される。
【００３３】
次に、図１７に示すように、支持体７における支持部７２の先端部を覆っているクリーニング帯３をディスプレイ５００の表面に当接させた状態でクリーナ１を移動させることにより、ディスプレイ５００の表面をクリーニングする。この場合、このクリーナ１では、互いに分離した複数の帯状体７２ａで支持部７２の先端部が構成されているため、ディスプレイ５００の表面が湾曲していて、かつその曲率半径が小さい（湾曲の程度が大きい）場合であっても、各帯状体７２ａが互いに異なる変形量で弾性変形する結果、各帯状体７２ａの先端部を覆っているクリーニング帯３の各部位がディスプレイ５００の表面に密着する。したがって、例えば、単一の芯材の周囲に払拭シートを巻着して構成した払拭部材でクリーニングを行う従来の清掃具とは異なり、拭き残しを発生させることなくディスプレイ５００の表面が十分綺麗にクリーニングされる。
【００３４】
一方、クリーニングによってクリーニング帯３における支持部７２の先端部を覆っている部分が汚れたときには、回転機構５を操作してクリーニング帯３をスライド（移動）させる。具体的には、回転機構５のブレーキ５ｂを押し込んで本体部５ａのロック状態を解除すると共に、本体部５ａのダイヤル５１を回転させる。この際に、図９に示すように、ダイヤル５１の回転に伴って駆動ギア５３が回転し、これに伴って駆動ギア５３に噛合しているスプール４の被駆動ギヤ４３を介してスプール４の本体部４１が回転させられる。また、スプール４の回転に伴い、スプール４および支持体７の間に掛け渡されているクリーニング帯３が両者の間でスライド（移動）させられる。
【００３５】
この場合、スプール４に取り付けられているラチェットギヤ４４とラチェット６の爪部６２ａとの噛合によってスプール４の一方の向きへの回転を許容されると共に他方の向きへの回転が規制されている。このため、クリーニング帯３の一方の向きへのスライドのみが許容される結果、前回のクリーニングによって汚れた部分が再び支持部７２の先端部側に移動する事態が確実に防止される。次いで、清浄な部分が支持部７２の先端部側に移動した時点でダイヤル５１の回転を停止すると共に、ブレーキ５ｂの押し込みを解除して本体部５ａを回転不可状態にロックする。これにより、クリーニング帯３の清浄な部分でのクリーニングが可能となる。
【００３６】
次に、クリーニングを終了してクリーナ１を保管するときには、保管中のクリーニング帯３に対する埃の付着を防止するために、ケース本体２の収容部２ｂ内に支持体７の支持部７２を収容する。具体的には、スライド機構８のつまみ８１を図１５に示す矢印Ｃの向きに回転させる。この際に、つまみ８１の回転に伴ってピニオン８３が回転し、これに伴ってラック７１ａを介してスライド板７１が同図に示す矢印Ｄの向きにスライドさせられる。これにより、図２に示すように、支持部７２がケース本体２の収容部２ｂ内に収容される。
【００３７】
このように、このクリーナ１によれば、クリーニング帯３の幅方向に沿って配列されてクリーニング帯３を支持する複数の帯状体７２ａを備えて支持体７の支持部７２を構成し、外側からの押圧に応じて先端面７３がケース本体２の開口部２ａ側に向けて個別的に後退可能に各帯状体７２ａを構成したことにより、クリーニング対象のディスプレイ５００の表面が湾曲していて、かつその曲率半径が小さい場合であっても、外側からの押圧に応じて各帯状体７２ａが互いに異なる変形量で弾性変形して帯状体７２ａの先端面７３が後退するため、各帯状体７２ａの先端部を覆っているクリーニング帯３の各部位をディスプレイ５００の表面に確実に密着させることができる。したがって、例えば、単一の芯材の周囲に払拭シートを巻着して構成した払拭部材でクリーニングを行う従来の清掃具とは異なり、拭き残しを発生させることなくディスプレイ５００の表面を十分綺麗にクリーニングすることができる。
【００３８】
また、このクリーナ１によれば、板状体の一端部側を切り込みによって分割すると共に湾曲させて湾曲面７３が形成された複数の帯状体７２ａで支持部７２を構成したことにより、支持部７２を簡易に構成することができる。したがって、支持部７２の構成が簡易な分、クリーナ１の製造コストを十分に低く抑えることができると共に、支持部７２の構成が簡易な分、支持部７２の故障の発生を十分に低く抑えることができる。
【００３９】
また、このクリーナ１によれば、開口部２ａから突出する支持部７２の突出量を変更可能に支持体７をスライドさせるスライド機構８を備えたことにより、例えば、クリーニング対象のディスプレイ５００の表面とディスプレイ５００の縁部との間に段差が存在しているとしても、その段差の高さに応じて支持部７２の突出量を容易に変更することができるため、ディスプレイ５００の表面における隅々まで確実にクリーニングを行うことができる。
【００４０】
なお、本発明は上記の構成に限定されない。例えば、先端部がＪ字状に湾曲された帯状体７２ａを有する支持部７２を備えた例について上記したが、支持部７２に代えて、図１８に示す支持部１７２を採用することもできる。なお、以下の説明において、上記した各構成要素と同じ構成要素については、同一の符号を付して、重複する説明を省略する。この場合、支持部１７２は、折返し部分が湾曲するように板状体を折り反すと共に、その折返し部分を切り込みによって分割した複数のＵ字状の帯状体１７２ａを有して構成されている。この構成においても、外側からの押圧に応じて各帯状体１７２ａが互いに異なる変形量で弾性変形して帯状体１７２ａの先端面７３が後退するため、支持部７２と同様にして拭き残しを発生させることなくディスプレイ５００の表面を十分綺麗にクリーニングすることができる。
【００４１】
また、支持部７２に代えて、図１９に示す支持部２７２を採用することもできる。この支持部２７２は、軸２７２ａと、上記した本体部７１（図１０参照）に対して着脱可能に構成されると共にクリーニング帯３の幅方向に沿うように軸２７２ａを支持する支持板２７２ｂと、軸２７２ａが中心部に挿通される複数のリング２７２ｃとを備えて構成されている。この場合、軸２７２ａとリング２７２ｃの内面との間には、本発明における弾性部材の一例としてのばね２７３が配設されており、このばね２７３の存在によってリング２７２ｃが軸２７２ａに対して接離する方向に移動可能となっている。この支持部２７２においても、外側からの押圧に応じて各リング２７２ｃが移動する。つまり、外側からの押圧に応じて各リング２７２ｃの外周面（つまり先端面７３）が後退するため、支持部７２や支持部１７２と同様にして拭き残しを発生させることなくディスプレイ５００の表面を十分綺麗にクリーニングすることができる。また、この支持部２７２によれば、ばね２７３の形状や材質を変更することで、外側からの押圧力に対するリング２７２ｃの移動のし易さ、つまり使用時における支持部２７２の軟らかさが異なる各種クリーナ１を容易に製造することができる。
【００４２】
また、図２１に示すクリーナ３０１のように、上記したスライド機構８を用いて支持体７をスライドさせる構成に代えて、スライド機構３０８によって支持体７をスライドさせる構成を採用することもできる。この場合、スライド機構３０８は、同図に示すように、支持体７のスライド板７１に取り付けられたスライダ３２２を備えて構成されている。また、このクリーナ３０１では、縁部が波形状に構成されたスリット３２１が下ケース３１１の側板３２３に形成されており、このスリット３２１に沿ってスライド機構３０８のスライダ３２２をスライドさせることで、支持体７をスライドさせることが可能となっている。この構成においても、例えば、クリーニング対象のディスプレイ５００の表面とディスプレイ５００の縁部との間に段差が存在しているとしても、その段差の高さに応じて支持部７２の突出量を容易に変更することができるため、ディスプレイ５００の表面における隅々まで確実にクリーニングを行うことができる。
【００４３】
また、支持体７のみをスライドさせる構成に代えて、図２２に示すクリーナ４０１のように、長尺に形成したスライド板４７１にスプール４を支持する一対の壁部４３５，４３５（同図では両壁部４３５，４３５のうちの一方のみを図示している）を立設して、支持体４０７とスプール４とを同時にスライドさせる構成を採用することもできる。この構成によれば、支持体４０７における支持部７２の先端部（先端面７３）とスプール４との距離を一定に維持した状態で支持体４０７およびスプール４をスライドさせることができるため、テンション板１０を備えることなくクリーニング帯３の弛みの発生を回避することができる。
【図面の簡単な説明】
【００４４】
【図１】クリーナ１の斜視図である。
【図２】クリーナ１の断面図である。
【図３】ケース本体２の斜視図である。
【図４】下ケース１１の斜視図である。
【図５】上ケース１２の斜視図である。
【図６】クリーニング帯３の斜視図である。
【図７】スプール４の斜視図である。
【図８】スプール４およびラチェット６の側面図である。
【図９】回転機構５の斜視図である。
【図１０】支持体７の斜視図である。
【図１１】スライド機構８の斜視図である。
【図１２】クッション部９の斜視図である。
【図１３】テンション板１０の斜視図である。
【図１４】スライド機構８のセット方法を説明するための説明図である。
【図１５】支持体７を突出させたときの各構成要素の位置関係を説明するための説明図である。
【図１６】支持体７を突出させた状態におけるクリーナ１の断面図である。
【図１７】ディスプレイ５００をクリーニングしている状態の支持体７における支持部７２の平面図である。
【図１８】支持部１７２の斜視図である。
【図１９】支持部２７２の斜視図である。
【図２０】リング２７２ｃの構成を示す平面図である。
【図２１】クリーナ３０１の側面図である。
【図２２】クリーナ４０１の断面図である。
【符号の説明】
【００４５】
１，３０１，４０１  クリーナ
２  ケース本体
２ａ  開口部
２ｂ  収容部
３  クリーニング帯
４  スプール
７，４０７  支持体
８  スライド機構
７１ａ  ラック
７２，１７２，２７２  支持部
７３  先端面
７２ａ，１７２ａ  帯状体
２７２ａ  軸
２７２ｃ  リング
２７３  ばね
３０８  スライド機構
【図１】
2008067951.tif 000003
【図２】
2008067951.tif 000004
【図３】
2008067951.tif 000005
【図４】
2008067951.tif 000006
【図５】
2008067951.tif 000007
【図６】
2008067951.tif 000008
【図７】
2008067951.tif 000009
【図８】
2008067951.tif 000010
【図９】
2008067951.tif 000011
【図１０】
2008067951.tif 000012
【図１１】
2008067951.tif 000013
【図１２】
2008067951.tif 000014
【図１３】
2008067951.tif 000015
【図１４】
2008067951.tif 000016
【図１５】
2008067951.tif 000017
【図１６】
2008067951.tif 000018
【図１７】
2008067951.tif 000019
【図１８】
2008067951.tif 000020
【図１９】
2008067951.tif 000021
【図２０】
2008067951.tif 000022
【図２１】
2008067951.tif 000023
【図２２】
2008067951.tif 000024